【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
開口を備えた外郭内に、回転軸を中心に回動可能に羽根車を連結した電動機と、前記羽根車の周囲を囲み吸込み口を有するケーシングと、前記外郭の前記開口と連通する開口部を有するベルマウス状のオリフィスとを備え、前記オリフィスにより形成される共鳴空間により前記吸込み口から放出される騒音を共鳴消音する遠心送風機で、前記オリフィスの端部と前記ケーシングとの間の入口部から前記共鳴空間に入射した騒音の音波が反射するまでの経路の一部が長くなるようにし、
共鳴空間に壁体を設けて前記共鳴空間に入射した騒音の音波が反射するまでの経路の一部を長くし、共鳴空間に設ける壁体が、吸込み口と同心円で一端がケーシングと接する円筒管状である遠心送風機。
【請求項２】
共鳴空間に設ける吸込み口と同心円の円筒管状の壁体の内径Ｄが、前記吸込み口の内径Ｄｉと入口部の間隙寸法ｉとの間でＤ＞Ｄｉ＋２ｉの関係となる請求項１に記載の遠心送風機。
【請求項３】
共鳴空間に設ける吸込み口と同心円の円筒管状の壁体の内径Ｄが、前記吸込み口の内径Ｄｉと入口部の間隙寸法ｉとの間でＤ＜Ｄｉ＋２ｉの関係となる請求項１に記載の遠心送風機。
【請求項４】
共鳴空間に設ける吸込口と同心円の円筒状の壁体の内径Ｄが周方向に一様でない請求項１〜３いずれかに記載の遠心送風機。
【請求項５】
共鳴空間に設ける吸込口と同心円の円筒状の壁体の高さが周方向に一様でない請求項１〜４いずれかに記載の遠心送風機。
【請求項６】
共鳴空間への入口部の間隙寸法ｉが周方向に一様でない請求項１〜５いずれかに記載の遠心送風機。
【請求項７】
共鳴空間に設ける吸込み口と同心円の円筒管状の壁体の内径Ｄが調整可能な請求項１〜６いずれかに記載の遠心送風機。
【請求項８】
共鳴空間に設ける吸込み口と同心円の円筒管状の壁体の高さが調整可能な請求項１〜７いずれかに記載の遠心送風機。
【請求項９】
ケーシングの吸込み口と同心円で一端が前記ケーシングに接する少なくとも一つの円筒管状の壁体と、前記ケーシングの前記吸込み口と同心円で一端がオリフィスに接する少なくとも一つの円筒管状の壁体が、径方向に交互に配置された請求項１〜８いずれかに記載の遠心送風機。
【請求項１０】
共鳴空間に設ける吸込み口と同心円の円筒管状の壁体がケーシングと一体で成型される請求項１〜９いずれかに記載の遠心送風機。
【請求項１１】
共鳴空間を複数に分割する隔壁を設けた請求項１〜１０いずれかに記載の遠心送風機。
【請求項１２】
複数の共鳴空間それぞれに異なる形状の壁体を設け、それぞれの共鳴空間で騒音の音波が反射するまでの経路の一部を長くした請求項１１に記載の遠心送風機。
【請求項１３】
複数の共鳴空間それぞれの入口部の間隙寸法ｉが異なる請求項１１または１２に記載の遠心送風機。
【請求項１４】
ケーシングの側壁と外郭で囲まれる外周空間を共鳴空間として利用するようにした請求項１〜１３いずれかに記載の遠心送風機。
【請求項１５】
ケーシングの電動機側外壁と外郭との間の背後空間を共鳴空間として利用するようにした請求項１４に記載の遠心送風機。
【手続補正２】
【補正対象書類名】明細書
【補正対象項目名】０００９
【補正方法】変更
【補正の内容】
【０００９】
本発明の遠心送風機は上記目的を達成するために、開口を備えた外郭内に、回転軸を中心に回動可能に羽根車を連結した電動機と、羽根車の周囲を囲み吸込み口を有するケーシングと、外郭の開口と連通する開口部を有するベルマウス状のオリフィスとを備え、オリフィスにより形成される共鳴空間により吸込み口から放出される騒音を共鳴消音する遠心送風機で、オリフィスの端部とケーシングとの間の入口部から共鳴空間に入射した騒音の音波が反射するまでの経路の一部を長くなるようにし、共鳴空間に壁体を設けて前記共鳴空間に入射した騒音の音波が反射するまでの経路の一部を長くし、共鳴空間に設ける壁体が、吸込み口と同心円で一端がケーシングと接する円筒管状である遠心送風機としたものである。
【手続補正３】
【補正対象書類名】明細書
【補正対象項目名】００１０
【補正方法】変更
【補正の内容】
【００１０】
この手段により、共鳴空間の容積を大きくすることなくより低周波の騒音を消音することができるため、外郭を大きくせずに所望の周波数の騒音を低減することができる遠心送風機が得られる。また、騒音の音波が壁体を回り込んで伝播し、騒音の音波の一部が反射するまでの経路を長くすることができ、共鳴空間の容積を大きくすることなくより低周波の騒音を消音することができるため、外郭を大きくせずに所望の周波数の騒音を低減することができる遠心送風機が得られる。また、吸込み口から放射された騒音の音波が壁体を回り込む経路が一度のＵ曲がりのみとなり、騒音の音波が反射する経路の最奥部までスムーズに騒音の音波を伝播させることができ、共鳴空間の容積を大きくすることなくより低周波の騒音を消音することができるため、外郭を大きくせずに所望の周波数の騒音を低減することができる遠心送風機が得られる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００５６
【補正方法】変更
【補正の内容】
【００５６】
本発明の請求項１記載の発明は、開口を備えた外郭内に、回転軸を中心に回動可能に羽根車を連結した電動機と、羽根車の周囲を囲み吸込み口を有するケーシングと、外郭の開口と連通する開口部を有するベルマウス状のオリフィスとを備え、オリフィスにより形成される共鳴空間により吸込み口から放出される騒音を共鳴消音する遠心送風機で、オリフィスの端部とケーシングとの間の入口部から共鳴空間に入射した騒音の音波が反射するまでの経路の一部を長くなるようにした遠心送風機としたものであり、共鳴空間の容積を大きくすることなくより低周波の騒音を消音することができるため、外郭を大きくせずに所望の周波数の騒音を低減することができるという作用を有する。また、共鳴空間に壁体を設けて騒音の音波が反射するまでの経路の一部を長くした遠心送風機としたものであり、騒音の音波が壁体を回り込んで伝播し、騒音の音波の一部が反射するまでの経路を長くすることができ、共鳴空間の容積を大きくすることなくより低周波の騒音を消音することができるため、外郭を大きくせずに所望の周波数の騒音を低減することができるという作用を有する。また、共鳴空間に設ける壁体が、吸込み口と同心円で一端がケーシングと接する円筒管状である遠心送風機としたものであり、吸込み口から放射された騒音の音波が壁体を回り込む経路が一度のＵ曲がりのみとなり、騒音の音波が反射する経路の最奥部までスムーズに騒音の音波を伝播させることができ、共鳴空間の容積を大きくすることなくより低周波の騒音を消音することができるため、外郭を大きくせずに所望の周波数の騒音を低減することができるという作用を有する。
【手続補正２１】
【補正対象書類名】明細書
【補正対象項目名】００５７
【補正方法】削除
【補正の内容】
【手続補正２２】
【補正対象書類名】明細書
【補正対象項目名】００５８
【補正方法】削除
【補正の内容】
【手続補正２３】
【補正対象書類名】明細書
【補正対象項目名】００５９
【補正方法】削除
【補正の内容】
【手続補正２４】
【補正対象書類名】明細書
【補正対象項目名】００６０
【補正方法】削除
【補正の内容】
【手続補正２５】
【補正対象書類名】明細書
【補正対象項目名】００６１
【補正方法】削除
【補正の内容】
【手続補正２６】
【補正対象書類名】明細書
【補正対象項目名】００６２
【補正方法】削除
【補正の内容】
【手続補正２７】
【補正対象書類名】明細書
【補正対象項目名】００６３
【補正方法】削除
【補正の内容】
【手続補正２８】
【補正対象書類名】明細書
【補正対象項目名】００６６
【補正方法】削除
【補正の内容】
【手続補正２９】
【補正対象書類名】明細書
【補正対象項目名】０１０２
【補正方法】変更
【補正の内容】
【０１０２】
（参考の形態１）
図６に示すように、共鳴空間２０に設ける吸込み口７と同心円の円筒管状の壁体２２が２０ｍｍの厚みで、壁体の端面３４と５ｍｍのクリアランスで面するようにオリフィス１９の端部２１が配置されており、壁体の端面３４とオリフィス１９の端部２１に挟まれる領域が入口部領域２４を構成している。
【手続補正３０】
【補正対象書類名】明細書
【補正対象項目名】０１０５
【補正方法】変更
【補正の内容】
【０１０５】
（実施の形態３）
図７に示すように、円筒管状の壁体の内径Ｄが一部が２１６ｍｍ、一部が１６０ｍｍで、周方向に一様でない構成となっている。
【手続補正３１】
【補正対象書類名】明細書
【補正対象項目名】０１０７
【補正方法】変更
【補正の内容】
【０１０７】
（実施の形態４）
図８に示すように、円筒管状の壁体２２の高さが一部は２８ｍｍ、一部が４０ｍｍで、周方向に一様でない構成となっている。
【手続補正３２】
【補正対象書類名】明細書
【補正対象項目名】０１０９
【補正方法】変更
【補正の内容】
【０１０９】
（実施の形態５）
図９に示すように、共鳴空間２０への入口部２３の間隙寸法ｉが一部は２０ｍｍ、一部が１４ｍｍで、周方向に一様でない遠心送風機としたものである。
【手続補正３３】
【補正対象書類名】明細書
【補正対象項目名】０１１１
【補正方法】変更
【補正の内容】
【０１１１】
（実施の形態６）
図１０に示すように、ケーシング１０の下面にねじ受け３５を設け、ねじしろ３６を備えた円筒管状の壁体２２がねじ３７で固定され、着脱できるようになっており、異なる内径Ｄの円筒管状の壁体２２を取り付けることができる構成になっている。
【手続補正３４】
【補正対象書類名】明細書
【補正対象項目名】０１１３
【補正方法】変更
【補正の内容】
【０１１３】
（実施の形態７）
図１１に示すように、共鳴空間２０に設ける吸込み口７と同心円の円筒管状の壁体２２は内側壁３８と外側壁３９で構成される二重管４０になっており、外側壁３９をスライドさせることによって壁体２２の高さが調整可能な構成になっている。
【手続補正３５】
【補正対象書類名】明細書
【補正対象項目名】０１１５
【補正方法】変更
【補正の内容】
【０１１５】
（実施の形態８）
図１２に示すように、ケーシング１０の吸込み口７と同心円で一端がケーシング１０に接する円筒管状の壁体２２で、壁体の内径Ｄが１８０ｍｍと２４０ｍｍの二つの壁体２２と、ケーシング１０の吸込み口７と同心円で一端がオリフィス１９に接する壁体の内径Ｄが２１６ｍｍの円筒管状の壁体２２が、共鳴空間２０内に配置された構成となっている。
【手続補正３６】
【補正対象書類名】明細書
【補正対象項目名】０１１７
【補正方法】変更
【補正の内容】
【０１１７】
（実施の形態９）
図１３に示すように、共鳴空間２０を異なる容積で二つに分割する隔壁４１が回転軸４を通る平面上に設けられ、またそれぞれの共鳴空間２０に異なった高さの一端がケーシング１０に接する吸込み口７と同心円の円筒管状の壁体２２が設けられた構成となっている。
【手続補正３７】
【補正対象書類名】明細書
【補正対象項目名】０１１９
【補正方法】変更
【補正の内容】
【０１１９】
（実施の形態１０）
図１４に示すように、隔壁４１により二つに分割された共鳴空間２０それぞれの入口部２３の間隙寸法ｉが、一方が２０ｍｍ、一方が１４ｍｍで、入口部２３の間隙寸法ｉが異なった構成になっている。
【手続補正３８】
【補正対象書類名】明細書
【補正対象項目名】０１２１
【補正方法】変更
【補正の内容】
【０１２１】
（実施の形態１１）
図１５に示すように、ケーシング１０の側壁８と外郭３で囲まれる外周空間４２が、オリフィス１９とケーシング１０と外郭３に囲まれて構成される共鳴空間２０と連通した構成となっている。
【手続補正３９】
【補正対象書類名】明細書
【補正対象項目名】０１２３
【補正方法】変更
【補正の内容】
【０１２３】
（実施の形態１２）
図１６に示すように、外郭３内で電動機６の一部がケーシング１０から突出した構成の遠心送風機１で、ケーシング１０の電動機側外壁４３と外郭３との間の背後空間４４が、ケーシング１０の側壁８と外郭３で囲まれる外周空間４２と連通し、また外周空間４２はオリフィス１９とケーシング１０と外郭３に囲まれて構成される共鳴空間２０と連通した構成となっている。
【手続補正４０】
【補正対象書類名】明細書
【補正対象項目名】０１２６
【補正方法】変更
【補正の内容】
【０１２６】
【図１】本発明の実施の形態１の遠心送風機を示す図（（ａ）側断面図（ｂ）下面部分断面図）
【図２】ヘルムホルツ共鳴器の原理を示す図
【図３】本発明の実施の形態１の遠心送風機の消音効果を確認する実験の実験対象物を示す図（（ａ）同側断面図、（ｂ）同下面図）
【図４】本発明の実施の形態１の遠心送風機の消音効果を示す図
【図５】本発明の実施の形態２の遠心送風機を示す側断面図
【図６】本発明の参考の形態１の遠心送風機を示す側断面図
【図７】本発明の実施の形態３の遠心送風機を示す側断面図
【図８】本発明の実施の形態４の遠心送風機を示す側断面図
【図９】本発明の実施の形態５の遠心送風機を示す側断面図
【図１０】本発明の実施の形態６の遠心送風機を示す側断面図
【図１１】本発明の実施の形態７の遠心送風機を示す側断面図
【図１２】本発明の実施の形態８の遠心送風機を示す側断面図
【図１３】本発明の実施の形態９の遠心送風機を示す図（（ａ）同側断面図、（ｂ）同下面部分断面図）
【図１４】本発明の実施の形態１０の遠心送風機を示す側断面図
【図１５】本発明の実施の形態１１の遠心送風機を示す側断面図
【図１６】本発明の実施の形態１２の遠心送風機を示す側断面図
【図１７】従来の遠心送風機を示す側断面図